(57)【要約】【課題】内車室下半部側の合わせ面の変形を抑制し内車室の組立を精度良く行うことができる蒸気タービン車室を提供することを目的とする。【解決手段】タービンロータを収容するとともに、内車室上半部及び内車室下半部１６を有する内車室と、内車室を収容するとともに、外車室上半部及び外車室下半部４を有する外車室と、を備え、外車室下半部４は、両側部に設けられた外車室固定部２２が基礎５０上に設置されることによって自重が支持され、内車室下半部１６は、両側部に設けられた内車室固定部２１が外車室固定部２２上に設置されることによって自重が支持される、蒸気タービン車室において、外車室固定部２２と、外車室固定部２２上に設けられた内車室固定部２１との間には、内車室固定部２１が外車室固定部２２に対して内車室の内側へ変位することを抑制する変位抑制機構２１ａ，２２ａが設けられていることを特徴とする。【選択図】図３
2011043103.tif 000002
【特許請求の範囲】
【請求項１】
タービンロータを収容するとともに、上下に分割された内車室上半部および内車室下半部を有する内車室と、
該内車室を収容するとともに、上下に分割された外車室上半部および外車室下半部を有する外車室と、を備え、
前記外車室下半部は、両側部に設けられた外車室固定部が基礎上に設置されることによって自重が支持され、
前記内車室下半部は、両側部に設けられた内車室固定部が前記外車室固定部上に設置されることによって自重が支持される、蒸気タービン車室において、
前記外車室固定部と、該外車室固定部上に設けられた前記内車室固定部との間には、該内車室固定部が前記外車室固定部に対して前記内車室の内側へ変位することを抑制する変位抑制機構が設けられていることを特徴とする蒸気タービン車室。
【請求項２】
前記変位抑制機構は、前記外車室固定部に設けられ、前記内車室固定部に突出する外車室側凸部と、前記内車室固定部に設けられ、前記外車室固定部側に突出する内車室側凸部とを備え、
前記外車室側凸部は、前記内車室側凸部の内側への変位を規制するとともに、前記内車室の外側への変位を許容するように、前記内車室側凸部の外側に位置されていることを特徴とする請求項１に記載の蒸気タービン車室。
【請求項３】
前記外車室側凸部と前記内車室側凸部との間には、これら凸部間の間隔を調整することができる間隔調整機構が設けられていることを特徴とする請求項２に記載の蒸気タービン車室。
【請求項４】
請求項１から請求項３のいずれかに記載の蒸気タービン車室を有することを特徴とする蒸気タービン。
【請求項５】
請求項１から請求項３のいずれかに記載の蒸気タービン車室を有する蒸気タービンを備えたことを特徴とする原子力発電プラント。
【請求項６】
タービンロータを収容するとともに、上下に分割された内車室上半部および内車室下半部を有する内車室と、
該内車室を収容するとともに、上下に分割された外車室上半部および外車室下半部を有する外車室と、を備え、
前記外車室下半部は、両側部に設けられた外車室固定部が基礎上に設置されることによって自重が支持され、
前記内車室下半部は、両側部に設けられた内車室固定部が前記外車室固定部上に設置されることによって自重が支持される、蒸気タービン車室の組立方法において、
該外車室固定部とその上に設置された前記内車室固定部との間に設けられた前記変位抑制機構設によって、前記外車室固定部に対して前記内車室の内側への変位を抑制することを特徴とする蒸気タービン車室の組立方法。
【発明の詳細な説明】
【技術分野】
【０００１】
本発明は、蒸気タービン車室、これを備えた蒸気タービンおよびこれを備えた原子力発電プラントならびに蒸気タービン車室の組立方法に関し、特に、低圧蒸気タービン車室の支持構造に関するものである。
【背景技術】
【０００２】
一般に、火力や原子力発電プラントにおいて使用されている蒸気タービンは、タービンロータを収容する内車室と、この内車室を収容する外車室とを備えている。内車室は、上下に分割された内車室上半部および内車室下半部を有し、外車室は、上下に分割された外車室上半部および外車室下半部を有している。
このような構造とされた蒸気タービン車室の組立方法については、下記特許文献１及び特許文献２に開示されている。
【先行技術文献】
【特許文献】
【０００３】
【特許文献１】特開２００２−３６４３０９号公報
【特許文献２】特開平１１−９３６１６号公報
【発明の概要】
【発明が解決しようとする課題】
【０００４】
建設現場にプラントを搬入した後に蒸気タービン車室を組立てる場合、先ず、図５（Ａ）に示すように、基礎５０の上方に設けられている台板５１上に外車室下半部４の両側部を設置する。この際、外車室下半部４の両側部に設けられているフート底面９と台板５１とが接合することによって、外車室下半部４の自重が支持される。
【０００５】
次に、内車室下半部１６がクレーン６０によって吊り下げられて、台板５１上に設置されている外車室下半部４内に搭載される。搭載された内車室下半部１６は、内車室下半部１６の両側部の外側に突出している内車室支持板１９の下方に設けられている内車室固定部（図示せず）を介して、外車室下半部４のフート底面９の上方に設けられている外車室側支持部２２により支持される。内車室下半部１６は、両側部に設けられている内車室固定部によって、その自重が支持されている。内車室下半部１６が外車室下半部４内に設置された後、内車室下半部１６には、タービンロータ（図示せず）が収容される。
【０００６】
タービンロータが内車室下半部１６内に収容された後、図５（Ｂ）に示すように、内車室下半部１６には、内車室上半部１５がクレーン６０によって搭載される。この際、内車室下半部１６の両側部に設けられている内車室固定部は、内車室下半部１６の自重によって内側へと移動してしまう。内車室下半部１６の内車室固定部が内側へと移動することにより、内車室下半部１６の中央部が下方へと撓む。内車室下半部１６の中央部が下方に撓むことにより内車室下半部１６が変形し、内車室下半部１６と内車室上半部１５との分割合わせ面のうち内車室下半部側のフランジ１８の合わせ面の水平度が低下する。
【０００７】
内車室下半部側フランジ１８の合わせ面の水平度を維持するために、図５（Ｃ）に示すように、内車室下半部１６の中央部をジャッキアップする。ジャッキアップ作業は、外車室下半部４の下方より足場６１を架設し、外車室下半部４の内側中央部と内車室下半部１６の外側中央部との間にジャッキ６２を設けて内車室下半部１６の中央部を上方へとジャッキアップする。これにより、内車室下半部側フランジ１８の合わせ面の水平度が改善され、内車室上半部側フランジ１７と内車室下半部側フランジ１８とをボルト（図示せず）によって締め付けたときの内車室５の組立精度を向上させることができる。
【０００８】
内車室上半部側フランジ１７と内車室下半部側フランジ１８とをボルトによって締め付けた後は、図５（Ｄ）に示すように、内車室５を覆うように外車室上半部３をクレーン（図示せず）によって外車室下半部４へと搭載する。外車室下半部４のフート底面９の上方から外車室側壁（図示せず）およびリブ１２によって支持されている外車室下半部側フランジ１０と外車室上半部側フランジ１３とをボルト（図示せず）によって締め付けることによって外車室２が接合され、蒸気タービン車室１の組立作業が完了する。
【０００９】
しかし、上述の組立方法では、内車室下半部の中央部を上方へとジャッキアップするためには、ジャッキアップ作業用の足場の架設が必要となる。そのため、足場の架設に時間を要し、蒸気タービン車室の組立作業の工期が長期化するという問題があった。
【００１０】
なお、特許文献１には、予め工場において組立を行い静止部と回転部との間隙確認や調整を行った後、組立状態にして工場からプラントへと出荷することが開示されているが、建設現場に蒸気タービン車室を搬入した後の組立作業については開示されていない。
特許文献２には、回転部と内車室壁との接触を防止する内車室の支持構造が開示されているものの、内車室下半部の自重を起因として内車室下半部が変形した場合における、内車室下半部側フランジの合わせ面の水平度の維持方法については開示されていない。
【００１１】
本発明は、このような事情に鑑みてなされたものであって、内車室下半部側の合わせ面の変形を抑制し内車室の組立を精度良く行うことができる蒸気タービン車室、これを備えた蒸気タービンおよびこれを備えた原子力発電プラントならびに蒸気タービン車室の組立方法を提供することを目的とする。
【課題を解決するための手段】
【００１２】
上記課題を解決するために、本発明の蒸気タービン車室、これを備えた蒸気タービンおよびこれを備えた原子力発電プラントならびに蒸気タービン車室の組立方法は以下の手段を採用する。
すなわち、本発明にかかる蒸気タービン車室は、タービンロータを収容するとともに、上下に分割された内車室上半部および内車室下半部を有する内車室と、該内車室を収容するとともに、上下に分割された外車室上半部および外車室下半部を有する外車室と、を備え、該外車室下半部は、両側部に設けられた外車室固定部が基礎上に設置されることによって自重が支持され、前記内車室下半部は、両側部に設けられた内車室固定部が前記外車室固定部上に設置されることによって自重が支持される、蒸気タービン車室において、前記外車室固定部と、該外車室固定部上に設けられた前記内車室固定部との間には、前記内車室固定部が前記外車室固定部に対して前記内車室の内側へ変位することを抑制する変位抑制機構が設けられていることを特徴とする。
【００１３】
内車室下半部は、両側部に設けられた内車室固定部によってその自重が支持されるので、内車室下半部の中央部は自重によって下方へと撓んで変形しようとする。しかし、本発明では、外車室固定部と内車室固定部との間に設けられた変位抑制機構によって内車室固定部が外車室固定部に対して内車室の内側へ変位しようとすることが抑制される。すなわち、両側部の内車室固定部に加わる内車室の内側方向の力は、対応する外車室固定部を介して外車室下半部全体の剛性によって受け止められることになる。これにより、内車室下半部の中央部が下方に撓んでしまうことが抑制される。そのため、内車室下半部の中央部をジャッキアップすることなく内車室下半部と内車室上半部との組立を精度良く行うことができる。ジャッキアップする必要がないため、ジャッキアップ作業用の足場の架設作業が不要となる。したがって、蒸気タービン車室の組立工期の短縮と作業の容易化を図ることができる。
【００１４】
本発明にかかる蒸気タービン車室によれば、前記変位抑制機構は、前記外車室固定部に設けられ、前記内車室固定部側に突出する外車室側凸部と、前記内車室固定部に設けられ、前記外車室固定部側に突出する内車室側凸部とを備え、前記外車室側凸部は、前記内車室側凸部の内側への変位を規制するとともに、前記内車室の外側への変位を許容するように、前記内車室側凸部の外側に位置されていることを特徴とする。
【００１５】
内車室は、蒸気タービン運転時には外車室の温度に比べて高温となるので、外側へ膨張し熱伸びを生じようとする。しかし、本発明では、内車室に設けられる内車室側凸部が外車室に設けられる外車室側凸部の外側に設けられるので、内車室の外側への変位を許容することが可能となる。そのため、内車室の水平方向の熱伸びが拘束されない。したがって、内車室における熱応力の発生を抑制することができる。
【００１６】
本発明にかかる蒸気タービン車室によれば、前記外車室側凸部と前記内車室側凸部との間には、これら凸部間の間隔を調整することができる間隔調整機構が設けられていることを特徴とする。
【００１７】
本発明では、間隔調整機構によって外車室側凸部と内車室側凸部との間隔を調整することができる。そのため、内車室下半部は、外車室下半部に対する水平方向の位置を調整することが可能となる。したがって、蒸気タービン車室の組立工期の短縮と施工の容易化を図ることができる。
【００１８】
また、本発明にかかる蒸気タービンによれば、上記のいずれかに記載の蒸気タービン車室を有することを特徴とする。
【００１９】
ジャッキアップを行うことなく内車室下半部と内車室上半部との組立が精度良く行われるので、蒸気タービン車室の組立工期の短縮や施工の容易化につながる。したがって、蒸気タービンの組立工期の短縮や施工の容易化を図ることができる。
【００２０】
また、本発明にかかる原子力発電プラントによれば、上記のいずれかに記載の蒸気タービン車室を有する蒸気タービンを備えたことを特徴とする。
【００２１】
原子力発電プラントには、大型の蒸気タービンが用いられている。そのため、蒸気タービン車室の組立工期の短縮と施工の容易化を図ることにより、原子力発電プラントに占める蒸気タービンの組立工期が短縮される。したがって、原子力発電プラント全体の施工工期を効果的に短縮することができる。
【００２２】
また、本発明にかかる蒸気タービン車室の組立方法は、タービンロータを収容するとともに、上下に分割された内車室上半部および内車室下半部を有する内車室と、該内車室を収容するとともに、上下に分割された外車室上半部および外車室下半部を有する外車室と、を備え、前記外車室下半部は、両側部に設けられた外車室固定部が基礎上に設置されることによって自重が支持され、前記内車室下半部は、両側部に設けられた内車室固定部が前記外車室固定部上に設置されることによって自重が支持される、蒸気タービン車室の組立方法において、該外車室固定部とその上に設置された前記内車室固定部との間に設けられた前記変位抑制機構設によって、前記外車室固定部に対して前記内車室の内側への変位を抑制することを特徴とする。
【００２３】
内車室下半部が内車室固定部と外車室固定部とを介して外車室下半部に収容された際には、内車室下半部の自重により内車室下半部の中央部が下方へと撓み内車室下半部が変形する。しかし、本発明によると変位抑制機構によって内車室下半部の下方への撓みを抑制することができるので、ジャッキアップ作業を行うことなく内車室下半部の合わせ面の水平度を維持することができる。したがって、精度良く蒸気タービン車室を組立てることができる。
【発明の効果】
【００２４】
本発明によると、変位抑制機構によって内車室の自重を起因とし内車室固定部が外車室固定部に対して内車室の内側へ変位することが抑制され、内車室下半部の中央部下方への撓みが抑制される。そのため、内車室下半部の合わせ面の水平度を維持することが可能となる。したがって、ジャッキアップ作業用の足場の架設作業が不要となり、蒸気タービン車室の組立工期の短縮と作業の容易化を図ることができる。
【図面の簡単な説明】
【００２５】
【図１】本発明の第１実施形態に係る原子力発電プラントにおける低圧蒸気タービンの低圧蒸気タービン車室の斜視図である。
【図２】図１に示した低圧蒸気タービン車室のＡ−Ａ部の横断面図である。
【図３】図１に示した低圧蒸気タービン車室の内車室下半部が外車室下半部に支持されていることを示すＢ部の部分拡大断面図である。
【図４】第２実施形態に係る変位抑制機構であり、（Ａ）はその部分拡大図であり、（Ｂ）は（Ａ）に示した変位抑制機構のＣ−Ｃ部の上面図である。
【図５】従来の蒸気タービン車室の組立手順を示し、（Ａ）は外車室下半部内への内車室下半部の吊りこみを示し、（Ｂ）は内車室下半部の中央部がその自重により下方へと撓むことを示し、（Ｃ）はジャッキアップ作業用の足場の架設状態を示し、（Ｄ）は蒸気タービン組立作業完了状態を示す図である。
【発明を実施するための形態】
【００２６】
[第１実施形態]
以下、本発明に係る原子力発電プラントに設けられている低圧蒸気タービンが有している低圧蒸気タービン車室の一実施形態について図１から図３に基づいて説明する。
図１には、原子力発電プラントに設けられている低圧蒸気タービンが有している低圧蒸気タービン車室が示されている。
低圧蒸気タービン車室１は、内車室（図示せず）と、内車室を収容している外車室２と、内車室の内部に収容されているタービンロータ（図示せず）とを備えている。
外車室２は、上下に２分割されており、外車室上半部３と外車室下半部４とを備えている。また、外車室２のタービン軸(図示せず)方向には、タービンロータ用穴７が前後に開口している。
外車室上半部３の上部には、蒸気導入口６が開口している。
外車室下半部４は、水平面を有しているフート底板９と、水平面を有している外車室下半部側フランジ１０と、外車室下半部側フランジ１０に接合する外車室上半部側フランジ１３とを備えている。
【００２７】
外車室下半部側フランジ１０は、フート底板９の上方に設けられている外車室側壁１１およびリブ１２によって下方から支持されている。外車室下半部側フランジ１０は、台板５１（図２参照）の上面に対して平行する面を有している。外車室下半部側フランジ１０は、外車室上半部３と外車室下半部４との合わせ面となる分割面であり、外車室上半部３が有している外車室上半部側フランジ１３と接合している。外車室上半部側フランジ１３と外車室下半部側フランジ１０とは、ボルト（図示せず）により結合されている。
【００２８】
フート底板９は、基礎５０（図２参照）の周囲に設けられている台板５１（図２参照）の上面に対して平行する面を有している。フート底板９は、外車室２が熱膨張し熱伸びを生じた際には、台板５１（図２参照）に対して水平方向に移動することができる構造とされている。台板５１の上面とフート底板９の下面とが接合することによって、外車室下半部４は、基礎５０（図２参照）上に支持される。
【００２９】
外車室側壁１１は、複数のリブ１２の間を繋ぐように基礎５０（図２参照）の周囲を囲んでいる。外車室側壁１１およびリブ１２の下方には、フート底板９が設けられている。タービン軸方向のフート底板９の上面両側には、水平方向に外車室側壁１１を外側に突出させた外車室支持部１４が２箇所ずつ設けられている。各外車室支持部１４には、外車室固定部２２（図２参照）が設けられている。
【００３０】
図２には、図１に示した低圧蒸気タービン車室のＡ−Ａ部の横断面図が示されている。
内車室５は、上下に２分割されており、内車室上半部１５と内車室下半部１６とを備えている。
内車室上半部１５は、その下方に水平面を有している内車室上半部側フランジ１７を備えている。
内車室下半部１６は、その上方に水平面を有している内車室下半部側フランジ１８と、半径方向の外側左右に水平に突出している内車室支持板１９とを備えている。
【００３１】
内車室下半部側フランジ１８は、内車室上半部１５と内車室下半部１６との合わせ面となる分割面であり、内車室上半部側フランジ１７と接合している。内車室上半部側フランジ１７と内車室下半部側フランジ１８とは、ボルト（図示せず）により結合されている。
内車室支持板１９は、内車室下半部１６のタービン軸方向に対して水平に左右に突出している。内車室支持板１９は、その先端の下方に設けられている内車室固定部２１を介して外車室下半部４内に支持されている。
【００３２】
図３には、図１に示した低圧蒸気タービン車室の内車室下半部が変位抑制機構を介して外車室下半部に支持されているＢ部の部分拡大断面図が示されている。
内車室固定部２１は、水平面とその水平面に直角をなす垂直面との２面を有しタービン軸方向に断面Ｌ字形状となっている。内車室固定部２１には、断面Ｌ字形状の一部であり外車室固定部２２側に突出する内車室側凸部（変位抑制機構）２１ａが設けられている。内車室側凸部２１ａは、後述する外車室側凸部２２ａに対して外側の位置に設けられている。
【００３３】
外車室固定部２２は、水平面とその水平面に直角をなす垂直面との２面を有しタービン軸方向に断面逆Ｌ字形状となっている。外車室固定部２２には、断面逆Ｌ字形状の一部であり内車室固定部２１側に突出する外車室側凸部（変位抑制機構）２２ａが設けられている。外車室側凸部２２ａは、内車室側凸部２１ａに対して内側の位置に設けられている。
【００３４】
外車室固定部２２と内車室固定部２１とは、各々の断面がタービン軸方向にＬ字形状同士が連結するように成型されている。そのため、外車室固定部２２の断面逆Ｌ字形状の凹部は、内車室固定部２１の内車室側凸部２１ａが連結される幅と大きさとを有している。また、同様に、内車室固定部２１の断面Ｌ字形状の凹部は、外車室固定部２２の外車室側凸部２２ａが連結される幅と大きさとを有している。
【００３５】
次に、低圧蒸気タービン車室の組立方法について図２および図３に基づいて説明する。
原子力発電プラントに搬入された組立状態の低圧蒸気タービン車室１は、外車室下半部４が基礎５０の周囲に固定されている台板５１上にフート底部９を介して設置される。台板５１上に設置された外車室下半部４には、内車室下半部１６が収容される。内車室下半部１６は、図３に示すように、内車室固定部２１の内車室側凸部２１ａと外車室固定部２２の外車室側凸部２２ａとが連結することにより、外車室下半部４内に支持される。
【００３６】
内車室側凸部２１ａと外車室側凸部２２ａとによって両側が支持されている内車室下半部１６には、タービン軸方向に対して鉛直下方へと内車室下半部１６の自重が作用する。作用している内車室下半部１６の自重によって、内車室固定部２１には、内車室下半部１６の内側方向に力が加わる。そのため、内車室側凸部２１ａは、内車室下半部１６の内側へと移動しようとする。しかし、内側へ移動しようとする内車室側凸部２１ａには、外車室側凸部２２ａが連結している。そのため、内車室側凸部２１ａの内車室下半部１６の内側へと移動しようとする力は、連結している外車室側凸部２２ａを介して外車室下半部４の剛性によって抑制される。
【００３７】
内車室下半部１６が外車室下半部４内に収容された後、タービンロータが内車室下半部１６内部に設置される。タービンロータ設置後、内車室下半部１６には、図２に示すように、内車室上半部１５がタービンローラを覆うように被せられる。内車室上半部１５と内車室下半部１６とは、内車室上半部側フランジ１７と内車室下半部側フランジ１８とがボルト（図示せず）により締め付けられることによって結合されている。
内車室上半部１５と内車室下半部１６とが結合された後、外車室上半部３が内車室５を収容するように外車室下半部４に載せられる。載せられた外車室上半部３と外車室下半部４とは、外車室上半部側フランジ１３と外車室下半部側フランジ１０とがボルト（図示せず）により締め付けられことによって結合される。これによって低圧蒸気タービン車室１の組立作業が終了する。
【００３８】
以上の通り、本実施形態に係る低圧蒸気タービン車室を有する低圧蒸気タービンを備えた原子力発電プラントによれば、以下の作用効果を奏する。
内車室下半部１６は、内車室支持板１９（両側部）に設けられている内車室固定部２１によって内車室下半部１６の自重が支持されている。そのため、内車室下半部１６の中央部は、内車室下半部１６の自重によって下方へと撓んで変形しようとする。しかし、本発明では、外車室固定部２２に設けられている外車室側凸部２２ａ（変位抑制機構）と内車室固定部２１に設けられている内車室側凸部２１ａ（変位抑制機構）とによって内車室固定部２１が外車室固定部２２に対して内車室５の内側へ変位しようとすることが抑制されている。すなわち、内車室支持板１９に設けられている内車室固定部２１の内車室側凸部２１ａに加わる内車室下半部１６の内側方向の力は、対応する外車室固定部２２の外車室側凸部２２ａを介して外車室下半部４全体の剛性によって受け止められることになる。これにより、内車室下半部１６の中央部が下方に撓んでしまうことが抑制される。そのため、内車室下半部１６の中央部をジャッキアップすることなく内車室下半部１６と内車室上半部１５との組立を精度良く行うことができる。ジャッキアップする必要がないため、ジャッキアップ作業用の足場の架設作業が不要となる。したがって、低圧蒸気タービン車室１の組立工期の短縮と作業の容易化を図ることができる。
【００３９】
内車室５は、低圧蒸気タービン運転時には外車室２の温度に比べて高温となるので、外側へと膨張し熱伸びを生じようとする。しかし、本発明では、内車室下半部１６に設けられている内車室側凸部２１ａが外車室下半部４に設けられている外車室側凸部２２ａの外側に設けられているので、内車室５の外側への変位を許容することが可能となる。そのため、内車室５の水平方向の熱伸びが拘束されない。したがって、内車室５における熱応力の発生を抑制することができる。
【００４０】
ジャッキアップを行うことなく内車室下半部１６と内車室上半部１５との組立が精度良く行われるので、低圧蒸気タービン車室１の組立工期の短縮や施工の容易化につながる。したがって、低圧蒸気タービンの組立工期の短縮や施工の容易化を図ることができる。
【００４１】
原子力発電プラントには、大型の低圧蒸気タービンが用いられている。そのため、低圧蒸気タービン車室１の組立工期の短縮と施工の容易化を図ることにより、原子力発電プラントに占める低圧蒸気タービンの組立工期が短縮される。したがって、原子力発電プラント全体の施工工期を効果的に短縮することができる。
【００４２】
内車室下半部１６が内車室固定部２１と外車室固定部２２とを介して外車室下半部４に収容された際には、内車室下半部１６の自重により内車室下半部１５の中央部が下方へと撓み内車室下半部１６が変形する。しかし、本発明によると外車室側凸部２２ａ（変位抑制機構）と内車室側凸部２１ａ（変位抑制機構）とによって内車室下半部１６の下方への撓みを抑制することができるので、ジャッキアップ作業を行うことなく内車室下半部側フランジ（内車室下半部の合わせ面）１８面の水平度を維持することができる。したがって、精度良く低圧蒸気タービン車室１を組立てることができる。
【００４３】
なお、本実施形態では、低圧蒸気タービン車室１を用いて説明したが、本発明はこれに限定されるものではなく、高圧蒸気タービン車室であっても良い。
また、本実施形態では、原子力発電プラントを用いて説明したが、本発明はこれに限定されるものではなく、蒸気タービンを用いて発電を行うプラントであれば良い。
また、本実施形態では、内車室側凸部２１ａを備えている内車室固定部２１は、内車室支持板１９に設けられるとして説明したが、本発明はこれに限定されるものではなく内車室支持板１９と一体に形成されてもよい。また、外車室側凸部２２ａを備えている外車室固定部２２は、外車室支持部１４に設けられているとして説明したが、外車室支持部１４と一体に形成されてもよい。
【００４４】
[第２実施形態]
以下、本発明の第２実施形態について図４に基づいて説明する。本実施形態の低圧蒸気タービン車室の構成および組立方法は、外車室側凸部と内車室側凸部との間に間隔調整機構を有している点において第１実施形態と相違し、その他は同様である。したがって、同一の構成および組立方法については、同一の符号を付してその説明を省略する。
図４（Ａ）には、外車室側凸部２２ａ（位置抑制機構）と内車室側凸部２１ａ（位置抑制機構）との間に外車室スライド板２２ｂ（間隔調整機構）と内車室スライド板２１ｂ（間隔調整機構）とが設けられていることが示されている。また、図４（Ｂ）には、図４（Ａ）の外車室側凸部２２ａおよび内車室側凸部２１ａのＣ−Ｃ部の上面図が示されている。
【００４５】
外車室側凸部２２ａの基礎５０に対して直角をなす垂直面には、外車室スライド板２２ｂが設けられている。また、内車室側凸部２１ａの基礎５０に対して直角をなす垂直面には、外車室スライド板２２ｂに対応するように内車室スライド板２１ｂが設けられている。
外車室スライド板２２ｂは、傾斜面を有している。外車室スライド板２２ｂの傾斜面は、その勾配がタービン軸の延在する方向に向かって下降している。内車室スライド板２１ｂは、傾斜面を有している。内車室スライド板２１ｂの傾斜面は、その勾配がタービン軸の延在する方向に向かって上昇している。内車室スライド板２１ｂは、内車室固定部２１のタービン軸方向の端部に調整ねじ２１ｃを有している。この調節ねじ２１ｃによって、外車室側凸部２２ａと内車室側凸部２１ａとの間の間隔が調整される。
【００４６】
以上の通り、本実施形態に係る低圧蒸気タービン車室を有する低圧蒸気タービンを備えた原子力発電プラントによれば、以下の作用効果を奏する。
本発明では、外車室スライド板２２ｂ（間隔調整機構）および内車室スライド板２１ｂ（間隔調整機構）によって外車室側凸部２２ａと内車室側凸部２１ａとの間隔を調整することができる。そのため、内車室下半部１６は、外車室下半部４に対して水平方向の位置を調整することが可能となる。したがって、低圧蒸気タービン車室１の組立工期の短縮と施工の容易化を図ることができる。
【符号の説明】
【００４７】
４  外車室下半部
１６  内車室下半部
２１  内車室固定部
２１ａ  内車室側凸部（変位抑制機構）
２２  外車室固定部
２２ａ  外車室側凸部（変位抑制機構）
５０  基礎
【図１】
2011043103.tif 000003
【図２】
2011043103.tif 000004
【図３】
2011043103.tif 000005
【図４】
2011043103.tif 000006
【図５】
2011043103.tif 000007